(57)【要約】【課題】帰宅時に車から宅内の様子を事前に確認することができない。【解決手段】宅内の様子を撮像する撮像手段５と、撮像手段５のデータを記憶する記憶手段６と、撮像手段を制御するための無線通信手段７と、撮像手段５のデータを使用者の車１２とのネットワークを可能とするための情報通信手段９、１３と、これらを制御する制御手段１０で構成し、車１２のナビゲーション表示する表示手段１５で宅内の撮像を表示する。【選択図】図１
2005128681.tif 000002
【特許請求の範囲】
【請求項１】
宅内の様子を撮像する撮像手段と、前記撮像手段のデータを記憶する記憶手段と、前記撮像手段と通信して遠隔制御するための無線通信手段と、前記撮像手段を外部とのネットワークを可能とするための情報通信手段と、前記記憶手段、撮像手段、無線通信手段、情報通信手段からの情報を送受、制御する制御手段とで構成された装置に対して、前記装置の情報通信手段とのネットワークを可能とするための情報通信手段と、この情報通信手段を制御する制御手段と、ナビゲーション機能を有する表示手段とを備えた車で前記表示手段に前記撮像手段のデータを表示する構成とした見守り安心システム。
【請求項２】
車の表示手段においてはナビゲーション表示との撮像手段の切替えの操作を可能とした請求項１記載の見守り安心システム。
【請求項３】
使用者宅へ接近または離れたときの位置情報手段によりナビゲーションの表示手段に撮像手段のデータを表示する構成とした請求項１または２記載の見守り安心システム。
【発明の詳細な説明】
【技術分野】
【０００１】
本発明は、見守り安心システムに関し、特に車から宅内に設置された機器の制御に関するものである。
【背景技術】
【０００２】
従来のこの種の見守り安心システムは図５に示すように玄関先等から操作スイッチ１で宅内の各種センサ群２〜４であるガス漏れ、火災、防犯カメラを動作確認するように構成されている（例えば、特許文献１参照）。
【０００３】
そして上記、操作スイッチ１は玄関の外にも同様の操作スイッチが配設され、その指令により各種センサ群と通信を行い動作が確認できるようになっていた。
【特許文献１】特開平０６−５２４８１号公報
【発明の開示】
【発明が解決しようとする課題】
【０００４】
しかしながら上記従来の見守り安心システムに加え、最近では、インターホンにカメラ等の撮像手段で来訪者を確認したりするシステムも普及しつつある。また、車が今日普及している中で、車で外出中に宅内に侵入される場合もある。従来は車で外出中に家にたどり着く前にあらかじめ侵入者がいないかどうかを確認できない課題があった。まして、運転中に携帯電話で通話することもできない課題があった。加えて、車が家に到着する時に侵入者が逃避するケースもあり、車での外出中に宅内の状況を把握することは必要である。
【課題を解決するための手段】
【０００５】
本発明は上記課題を解決するため、宅内の様子を撮像する撮像手段と、前記撮像手段のデータを記憶する記憶手段と、前記撮像手段と通信して遠隔制御するための無線通信手段と、前記撮像手段を外部とのネットワークを可能とするための情報通信手段と、前記記憶手段、撮像手段、無線通信手段、情報通信手段からの情報を送受、制御する制御手段とで構成された装置に対して、前記装置の情報通信手段とのネットワークを可能とするための情報通信手段と、この情報通信手段を制御する制御手段と、ナビゲーション機能を有する表示手段とを備えた車で前記表示手段に前記撮像手段のデータを表示する構成とした見守り安心システムである。
【０００６】
上記発明によれば、車での外出中でも宅内での不審者の撮像が遠隔で確認可能となる。
【発明の効果】
【０００７】
本発明の見守り安心システムは、宅内の様子を撮像する撮像手段と、前記撮像手段のデータを記憶する記憶手段と、前記撮像手段と通信して遠隔制御するための無線通信手段と、前記撮像手段を外部とのネットワークを可能とするための情報通信手段と、前記記憶手段、撮像手段、無線通信手段、情報通信手段からの情報を送受、制御する制御手段とで構成された装置に対して、前記装置の情報通信手段とのネットワークを可能とするための情報通信手段と、この情報通信手段を制御する制御手段と、ナビゲーション機能を有する表示手段とを備えた車で表示手段に撮像手段のデータを表示するので、車の中にいながら宅内に侵入者がいないかを把握できるので、未然に使用者の危険をさけることが可能となる効果がある。
【発明を実施するための最良の形態】
【０００８】
本発明の第１の発明にかかる見守り安心システムは、宅内の様子を撮像する撮像手段と、前記撮像手段のデータを記憶する記憶手段と、前記撮像手段と通信して遠隔制御するための無線通信手段と、前記撮像手段を外部とのネットワークを可能とするための情報通信手段と、前記記憶手段、撮像手段、無線通信手段、情報通信手段からの情報を送受、制御する制御手段とで構成された装置に対して、前記装置の情報通信手段とのネットワークを可能とするための情報通信手段と、この情報通信手段を制御する制御手段と、ナビゲーション機能を有する表示手段とを備えた車で前記表示手段に前記撮像手段のデータを表示する構成としたものである。
【０００９】
そして、制御手段は、外部と接続している情報通信手段からのアクセス(例えば使用者の車)によって、撮像手段は宅内のデータを記憶手段に記憶する。また、撮像手段と制御手段の間は、無線通信手段によってデータの伝送を行なうこともできる。
【００１０】
上記発明によれば、車での外出中でも宅内での不審者の撮像が遠隔で確認可能となる。
【００１１】
本発明の第２の発明にかかる見守り安心システムは、車の表示手段においてはナビゲーション表示との撮像手段の切替えの操作を可能とする構成を有する。
【００１２】
そして、表示手段の画面上に表示された制御指令により、表示手段に撮像手段の撮像を表示することができる。撮像されたデータとナビゲーションを切替えることでいつでも宅内の様子を確認できる効果がある。
【００１３】
本発明の第３の発明にかかる見守り安心システムは、使用者宅へ接近または離れたときの位置情報手段を有し、ナビゲーションの表示手段に撮像手段のデータを表示する構成を有する。
【００１４】
そして、使用者宅に接近した時にはナビゲーションから撮像されたデータに切り替るので、宅内に接近する時に家の中の様子を確認でき、侵入者が事前にわかれば警察などへ事前に通報できる効果がある。また使用者宅を離れたとき時にはナビゲーションから撮像されたデータに切り替るので、外出する時に家の中の様子を確認でき、例えば戸締まりがなされていることなど出発の準備がなされていることがわかれば安心して遠出することができる効果がある。
【００１５】
（実施の形態１）
図１は本発明の第１の実施の形態における見守り安心システムを説明する構成図である。
【００１６】
図１において、５は宅内の様子を撮像する撮像手段、６は撮像手段で撮像したデータを記憶する記憶手段、７は撮像手段と通信して遠隔制御するための無線通信手段、８は外部と通信するためのネットワーク網、９はネットワークを介してデータ通信するための情報通信手段、１０は記憶手段６、撮像手段５、無線通信手段７、情報通信手段９からの情報を送受、制御する制御手段（宅内側と呼ぶ）、１１は撮像手段５、記憶手段６、無線通信手段７、情報通信手段９、制御手段１０で構成された装置である。１２は車、１３は車側に搭載され、外部ネットワーク網と接続し通信する情報通信手段、１４は車側に搭載され、車の内部の様々な制御を行う制御手段、１５は地図などを表示しナビゲーション機能を表示するために表示手段である。
【００１７】
次に動作、作用について説明すると、宅内側の制御手段１０は、車からの情報通信手段１３からのアクセスによって、撮像手段５が宅内の不審者や様子を撮像し、その撮像結果を記憶手段６に一時的に記憶する。また、撮像手段５と制御手段１０の間は、８０２．１１ｘ等のプロトコルによる無線通信手段７によってデータの伝送を行なうこともできる。
【００１８】
そして、外部ネットワーク８と接続された情報通信手段９へデータを送信し、車のナビゲーション機能を有する表示手段１５に表示するものである。
【００１９】
（実施の形態２）
図２、図３は本発明の第２の実施の形態の見守り安心システムにおいて、車のナビゲーション表示をする表示手段１５での宅内の撮像手段５のデータをとるための表示例を示す図である。
【００２０】
図２において、車の表示手段１５に表示されているの宅内のアイコンをタッチするとその指令は、車からの情報通信手段１３、制御手段１４を介して宅内の制御手段１０へ撮像手段５の撮像を要求する。そして、撮像データはネットワーク網8を介して車の方へ転送され、ナビゲーション表示されているところへ割り込む形で表示手段１５に図３のように表示される。
【００２１】
その表示の方法は、ナビゲーション表示と並列でもかまわないし、単独表示でもよく本発明の実施例に限定しない。また、ナビゲーション表示に切換えたい時は、表示手段１５の解除ボタンにタッチすれば、再びナビゲーション表示にもどるものである。このようにして,車の中から,宅内とネットワークを結ぶ事によって家の中の様子を確認する事ができる。
【００２２】
（実施の形態３）
図４は本発明の第３の実施の形態における見守り安心システムを説明する構成図である。
【００２３】
なお、第１の実施の形態と同一符号のものは同一構造を有し、説明は省略する。
【００２４】
１６は位置情報手段であり、ナビゲーションに登録される使用者の自宅の位置情報が記憶される。車を運転し、帰宅時に家の近くにきたときに自動的にナビゲーションの表示手段に撮像手段のデータを表示するものである。表示するためのトリガは位置情報手段１６の自宅と車の現在位置との距離の関係から決定される。緯度経度や、使用者が予め登録しておく地点を通過したことを検出してトリガするなど、トリガの方法は限定しない。そして、使用者宅に接近した時にはナビゲーションから撮像されたデータに自動的に切り替るので、宅内に接近する時に家の中の様子を確認でき、侵入者が事前にわかれば警察などへ事前に通報できる効果がある。また使用者宅を離れたとき時にはナビゲーションから撮像されたデータに切り替るので、外出する時に家の中の様子を確認でき、例えば戸締まりがなされていることなど出発の準備がなされていることがわかれば安心して遠出することができる効果がある。
【産業上の利用可能性】
【００２５】
以上のように本発明にかかる見守り安心システムは、宅内での不審者の撮像が遠隔で制御が可能で、しかも車からの確認が可能となるのでセキュリテイ等の分野で幅広く活用することが可能である。
【図面の簡単な説明】
【００２６】
【図１】本発明の実施の形態１における見守り安心システムの構成図
【図２】本発明の実施の形態２における表示手段の表示例を示す図
【図３】本発明の実施の形態２における表示手段の表示例を示す図
【図４】本発明の実施の形態３における見守り安心システムの構成図
【図５】従来の見守り安心システムの構成図
【符号の説明】
【００２７】
５  撮像手段
６  記憶手段
７  無線通信手段
８  ネットワーク網
９、１３  情報通信手段
１０、１４  制御手段
１５  表示手段
１６  位置情報手段
【図１】
2005128681.tif 000003
【図２】
2005128681.tif 000004
【図３】
2005128681.tif 000005
【図４】
2005128681.tif 000006
【図５】
2005128681.tif 000007